(57)【特許請求の範囲】
【請求項１】
次の要件を具備することを特徴とするラップフィルムの収納箱。
(Ｉ)  ロール状に巻かれたラップフィルムが収納される上面が開口した箱本体と、この箱本体の上面開口部を開閉する蓋とにより、前側上下および後側上下に長さ方向の稜線を備えた直方体状に構成されていること。
(ＩＩ)  上記箱本体は、底面板と、前面板と、この前面板よりも高さの低い後面板と、左右両側面板とから成ること。
(ＩＩＩ)  箱本体における前面板の上端部に、ガイドフラップがラップフィルム上方に向かって折曲げ形成され、このガイドフラップの左右両端が箱本体の左右両側面板に固定されていること。
(ＩＶ)  上記蓋は、上板と、下端にカッターが設けられた前板と、後板と、上記前板及び後板の左右両端に固定された左右両側板とによってボックス構造に構成されていること。
(Ｖ)  上記蓋における後板の下端と上記箱本体における後面板の上端とが、上記後側上部の稜線よりも下方位置で、蓋の開閉支点となる折り目を介して連続していること。
【発明の詳細な説明】
【０００１】
【産業上の利用分野】
本発明はロール状に巻かれた食品等包装用のラップフィルムを収納し、必要量ずつ引き出してカットするラップフィルムの収納箱に関するものである。
【０００２】
【従来の技術】
従来、ラップフィルムの収納箱は、図７，８に示すように、上面が開口した箱本体Ａと、この箱本体Ａの上面開口部を開閉する蓋Ｂとにより、前側上下および後側上下にそれぞれ長さ方向の稜線（折り目）ａ１，ａ２，ｂ１，ｂ２を備えた細長の直方体状に構成されている。
【０００３】
また、箱本体Ａは、前面板１と、底面板２と、後面板３と、左右両側面板４，４とによって形成されている。
【０００４】
一方、蓋Ｂは、前板５と、上板６と、左右両側板（片側のみ図示）７とによって形成され、前板５の下端にフィルム切断用の鋸歯付きカッター８が取付けられる。
【０００５】
この蓋Ｂは、後側上部稜線ｂ１において上板６の後端が箱本体Ａにおける後面板３の上端に連続し、この後側上部稜線ｂ１が蓋Ｂの開閉支点となっている。
【０００６】
【発明が解決しようとする課題】
ところが、この従来の収納箱によると、蓋Ｂの開閉支点が後側上部稜線ｂ１にあるため、この稜線ｂ１よりも前側部分を指で押えなければ蓋Ｂの閉じ力が働かない。いいかえれば、強い蓋閉じ力を得るためには、できるだけ前方部分で蓋Ｂを押さえる必要がある。
【０００７】
一方、フィルム引出し・切断時には、たとえば右利きの場合、通常、図８実線で示すように、
(ｉ)  左手のひらに箱を載せて蓋Ｂを開け、
(ｉｉ)  右手でフィルムＦを引き出し、
(ｉｉｉ)  左手の拇指で上板７を押えて蓋Ｂを閉じ、
(ｉｖ)  そのままフィルムＦを斜め上方に引っ張ってカッター８に押し当て、一端側から切断する
という操作を行う。
【０００８】
この場合、従来の収納箱によると、上記(ｉｉｉ)(ｉｖ)の蓋閉じ・切断段階で、蓋Ｂの上板６を押えただけでは蓋閉じ力が不足し、フィルム引っ張り力により前板５が押し上げられて半開き状態となる。
【０００９】
このため、カッター８に対するフィルムＦの密着力が不十分となる等の理由によりフィルムＦの切断がスムーズに行われず、フィルムＦが皺になったり半切れ状態になったりする事態が生じていた。
【００１０】
一方、これを防止するためには、十分な蓋閉じ力が得られるように、上記(ｉｉｉ)(ｉｖ)の段階で図８仮想線で示すように拇指が蓋前板５に当るように箱を持ち直さなければならず、操作が面倒となる。
【００１１】
そこで本発明は、切断時にわざわざ持ち直さなくても十分な蓋閉じ力が得られ、フィルムをスムーズに切断することができるラップフィルムの収納箱を提供するものである。
【００１２】
【課題を解決するための手段】
本発明は、次の要件を具備するものである。
【００１３】
(Ｉ)  ロール状に巻かれたラップフィルムが収納される上面が開口した箱本体と、この箱本体の上面開口部を開閉する蓋とにより、前側上下および後側上下に長さ方向の稜線を備えた直方体状に構成されていること。
【００１４】
(ＩＩ)  上記箱本体は、底面板と、前面板と、この前面板よりも高さの低い後面板と、左右両側面板とから成ること。
【００１５】
(ＩＩＩ)  箱本体における前面板の上端部に、ガイドフラップがラップフィルム上方に向かって折曲げ形成され、このガイドフラップの左右両端が箱本体の左右両側面板に固定されていること。
【００１６】
(ＩＶ)  上記蓋は、上板と、下端にカッターが設けられた前板と、後板と、上記前板及び後板の左右両端に固定された左右両側板とによってボックス構造に構成されていること。
【００１７】
(Ｖ)  上記蓋における後板の下端と上記箱本体における後面板の上端とが、上記後側上部の稜線よりも下方位置で、蓋の開閉支点となる折り目を介して連続していること。
【００１８】
【作用】
上記構成によると、蓋の開閉支点が後側上部稜線よりも下方にあるため、同稜線が開閉支点となる従来の収納箱と比べて、梃子の原理により同じ部分を押えても蓋閉じ力が格段に強くなる。
【００１９】
このため、フィルム切断段階でわざわざ箱を持ち直さなくても、上板を押えた状態で十分な蓋閉じ力が得られ、フィルムをスムーズに切断することができる。
【００２０】
また、蓋が、四周（前後左右および上側）が閉じたボックス構造となるため、蓋両側板の後端側がフリーとなった従来の箱と比較して、蓋の剛性を格段に高めることができる。
【００２１】
これにより、フィルム切断段階でのフィルム引っ張り力による蓋およびカッターの変形が抑えられ、蓋閉じ状態が確実に保持されるため、フィルムの切断がより一層スムーズに行われる。
【００２２】
また、操作ミスによって蓋閉じ力が不十分な場合でも、蓋およびカッターの開きが少なくなることにより、フィルムの切断が容易となる。
【００２３】
一方、ガイドフラップにより、フィルム引出し時にフィルムが前板上端に引っ掛からないでスムーズに引出されるとともに、引っ張り力によるフィルムの箱外への飛び出しを防止することができる。
【００２４】
しかも、このガイドフラップは、左右両端が箱本体の左右両側面板に固定されているため、フィルムの引っ張り力が過大であったり、引っ張り方向が上向き過ぎたりした場合でも、同フラップの上向き変形が抑えられる。このため、所期のフィルム飛び出し防止機能が確実に果たされ、フィルム引出し・切断作業がよりスムーズに行われる。
【００２５】
【実施例】
本発明の実施例を図１〜図６によって説明する。
【００２６】
基本実施例（図１〜図４参照）
この収納箱は、基本的には従来同様、上面が開口した箱本体Ｃと、この箱本体Ｃの上面開口部を開閉する蓋Ｄとにより、前側上下および後側上下にそれぞれ長さ方向の稜線ａ１，ａ２，ｂ１，ｂ２を備えた細長の直方体状に構成されている。
【００２７】
箱本体Ｃは、前面板１１と、底面板１２と、前面板１１よりも高さの低い後面板１３と、左右両側面板１４，１４とによって形成されている。
【００２８】
この箱本体Ｃにおける前面板１１の上端部にガイドフラップ１５が、前面板全長に亘り、ラップフィルムＦの上方に向かって傾斜して折曲げ形成され、このガイドフラップ１５によってフィルムＦが引出しガイドされるとともに、引っ張り力によるフィルムＦの箱外への飛び出しが防止される。
【００２９】
このガイドフラップ１５の両端には、図４に示すように連結片１５ａ，１５ａが直角に折曲げ形成され、この両側連結片１５ａ，１５ａが左右両側面板１４，１４の内面に糊付けによって一体に連結されている。
【００３０】
このように、ガイドフラップ１５の両端が固定されることにより、フィルム引出し時に、フィルム引っ張り力が強過ぎたり、引っ張り方向が上向き過ぎたりした場合でも、ガイドフラップ１５の上向き変形が抑えられる。このため、同フラップ１５によるフィルム飛び出し防止作用が確実に果たされる。
【００３１】
一方、蓋Ｄは、前板１６と、上板１７と、前板１６よりも高さ寸法が小さい後板１８と、左右両側板１９，１９とによって形成され、前板１６の下端にフィルム切断用のカッター２０が取付けられている。
【００３２】
この蓋Ｄは、後板１８の下端が、後側上部稜線ｂ１よりも下方位置で箱本体Ｃにおける後面板１３の上端に折り目ｄを介して連続し、この折り目ｄが蓋Ｄの開閉支点となっている。
【００３３】
また、図４に示すように、前板１６および後板１８の左右両端に折曲げ片１６ａ，１８ａが直角に設けられている。
【００３４】
この折曲げ片１６ａ，１８ａは、互いの先端が突合せられた状態（または重ね合せられた状態）で糊付けによって左右両側板１９，１９の内面に固定され、これにより、蓋Ｄが、四周が閉じたボックス構造となっている。
【００３５】
この収納箱によると、蓋Ｄの開閉支点が後側上部稜線ｂ１よりも下方にあるため、同稜線ｂ１が開閉支点となる従来の収納箱と比べて、梃子の原理により同じ部分を押えても蓋閉じ力が格段に強くなる。
【００３６】
これにより、フィルム切断段階において、図３に示すように上板を押えるだけで十分な蓋閉じ力が得られ、フィルム引っ張り力によって蓋Ｄが半開き状態になるおそれがなくなる。
【００３７】
しかも、前記したように蓋Ｄがボックス構造であることにより、蓋Ｄ全体の剛性（保形力）が高められるため、このフィルム切断段階でフィルム引っ張り力による蓋Ｄの変形が抑えられる。
【００３８】
この二点の相乗効果により、従来のようにわざわざ拇指が前板１６に当るように箱を持ち直さなくても、フィルムＦをスムーズに切断することができる。
【００３９】
また、蓋Ｄの変形が少なくなることにより、たとえ操作ミスによって蓋Ｄが半開き状態で切断操作が行われた場合でも、蓋両側板の後端側がフリーとなった従来の収納箱と比べてフィルムＦの切断が容易となる。
【００４０】
ところで、上記実施例では、ガイドフラップ１５を内側に傾斜して設けたが、図５に示すように、同フラップ１５を前板上端から水平に延設してもよい。
【００４１】
また、図６に示すように同フラップ１５をＵターン状に二重に折曲げ形成してもよい。
【００４２】
こうすれば、ガイドフラップ１５の剛性が高くなるため、フィルム引出し時の同フラップ１５の変形が抑えられること、フラップ先端が折り返しによって丸く形成されるためフィルムＦとの摩擦抵抗が小さくなることにより、フィルム引出し操作がスムーズに行われる。
【００４３】
【発明の効果】
上記のように本発明によるときは、蓋に後板を設け、この後板の下端を、後側上部稜線よりも下方において箱本体の後面板上端に折り目を介して連続させることにより、蓋の開閉支点を後側稜線よりも下方位置に設定したから、同稜線が開閉支点となる従来の収納箱と比べて、梃子の原理により同じ部分を押えても蓋閉じ力が格段に強くなる。
【００４４】
このため、フィルム切断段階でわざわざ箱を持ち直さなくても、上板を押えた状態で十分な蓋閉じ力が得られ、フィルムをスムーズに切断することができる。
【００４５】
また、蓋を、四周が閉じたボックス構造に構成したから、蓋両側板の後端側がフリーとなった従来の箱と比較して、蓋の剛性を格段に高めることができる。
【００４６】
これにより、フィルム切断段階でのフィルム引っ張り力による蓋およびカッターの変形が抑えられ、蓋閉じ状態が確実に保持されるため、フィルムの切断がより一層スムーズに行われる。
【００４７】
また、操作ミスによって蓋閉じ力が不十分な場合でも、蓋およびカッターの開きが少なくなることにより、フィルムの切断が容易となる。
【００４８】
一方、ガイドフラップにより、フィルム引出し時にフィルムを前板上端に引っ掛からないでスムーズに引出すことができるとともに、引っ張り力によるフィルムの箱外への飛び出しを防止することができる。
【００４９】
しかも、このガイドフラップの左右両端を箱本体の左右両側面板に固定したから、フィルムの引っ張り力が過大であったり、引っ張り方向が上向き過ぎたりした場合でも、同フラップの上向き変形が抑えられる。このため、所期のフィルム飛び出し防止機能が確実に果たされ、フィルム引出し・切断作業がよりスムーズに行われる。
【図面の簡単な説明】
【図１】本発明の基本実施例を示す収納箱全体の斜視図である。
【図２】同収納箱を開いて図１と反対方向から見た斜視図である。
【図３】図１のIII−III線拡大断面図である。
【図４】図３のIV−IV線断面図である。
【図５】本発明の他の実施例を示す図３相当図である。
【図６】本発明のさらに別の実施例を示す図３相当図である。
【図７】従来の収納箱を示す一部切欠斜視図である。
【図８】図７のVIII−VIII線拡大断面図である。
【符号の説明】
Ｃ  箱本体
１１  同本体の前面板
１２  同底面板
１３  同後面板
１４，１４  左右両側面板
１５，１５  ガイドフラップ
１５ａ，１５ａ  ガイドフラップの連結片
Ｄ  蓋
１６  蓋の前板
１６ａ  前板の折曲げ片
１７  上板
１８  後板
１８ａ  後板の折曲げ片
１９，１９  左右両側板
ｂ１  後側上部稜線
ｄ  蓋の開閉支点となる折り目
２０  カッター
【図１】
0003576615.tif 000002
【図２】
0003576615.tif 000003
【図３】
0003576615.tif 000004
【図４】
0003576615.tif 000005
【図５】
0003576615.tif 000006
【図６】
0003576615.tif 000007
【図７】
0003576615.tif 000008
【図８】
0003576615.tif 000009